(57)【要約】【課題】複数のチャンネルの音響信号それぞれが何を示すものであるのかを迅速に確認することが容易なチャンネル情報表示装置を提供すること。【解決手段】複数チャンネルの複数の音響信号と関連する複数の画像をそれぞれ表示する複数の画像表示手段４１ａ〜４１ｈと、複数の画像を示す複数の画像データを入力する画像入力手段４５と、画像入力手段４５によって入力された複数の画像データをそれぞれチャンネル情報として格納する複数の画像格納手段４２ａ〜４２ｈと、複数の画像格納手段４２ａ〜４２ｈに格納された複数の画像データから複数の画像表示手段４１ａ〜４１ｈにそれぞれ表示される複数の画像を選択する画像選択手段４３と、画像選択手段４３によって選択された複数の画像が複数の画像表示手段４１ａ〜４１ｈにそれぞれ表示されるよう制御する表示制御手段４４とを備える。【選択図】          図１
2004266531.tif 000002
【特許請求の範囲】
【請求項１】
複数チャンネルの複数の音響信号と関連付けた複数の画像をそれぞれ表示する複数の画像表示手段と、前記複数の画像が示された複数の画像データを入力する画像入力手段と、前記画像入力手段によって入力された前記複数の画像データをそれぞれ格納する複数の画像格納手段と、前記複数の画像格納手段に格納された前記複数の画像データから前記複数の画像表示手段にそれぞれ表示される前記複数の画像を選択する画像選択手段と、前記画像選択手段によって選択された前記複数の画像が前記複数の画像表示手段にそれぞれ表示されるよう制御する表示制御手段とを備えることを特徴とするチャンネル情報表示装置。
【請求項２】
前記画像入力手段は時系列で連続する複数の画像が示された複数の画像データを順次入力し、前記複数の画像格納手段は前記画像入力手段によって順次入力された前記複数の画像データを順次格納し、前記表示制御手段は前記複数の画像格納手段に順次格納された前記複数の画像データが示す前記複数の画像を前記複数の画像表示手段に順次表示するよう制御することを特徴とする請求項１に記載のチャンネル情報表示装置。
【請求項３】
前記複数の画像格納手段に格納された前記複数の画像それぞれを編集する画像編集手段を備えることを特徴とする請求項１または請求項２に記載のチャンネル情報表示装置。
【請求項４】
前記画像編集手段は、前記複数の画像表示手段に表示された前記複数の画像それぞれに文字情報を添付するよう前記複数の画像それぞれを編集し、前記複数の画像格納手段は、前記文字情報が添付された前記複数の画像それぞれを画像データとして格納することを特徴とする請求項１から請求項３までの何れかに記載のチャンネル情報表示装置。
【請求項５】
前記複数の画像格納手段それぞれに格納された複数の画像を合成する画像合成手段を備え、前記表示制御手段は前記画像合成手段によって合成された前記複数の画像を前記画像表示手段に表示するよう制御することを特徴とする請求項１から請求項４までの何れかに記載のチャンネル情報表示装置。
【発明の詳細な説明】
【０００１】
【発明の属する技術分野】
本発明は、チャンネル情報表示装置に関し、詳しくは、オーディオシステムにおいて複数チャンネルの複数の音響信号の信号レベルを表示する表示部に表示された複数の音響信号と関連付けた複数の画像をそれぞれ表示するチャンネル情報表示装置に関する。
【０００２】
【従来の技術】
従来、複数チャンネルの複数の音響信号とそれぞれ関連する複数の情報を表示するチャンネル情報表示装置として図８に示す構成のものが知られている。
【０００３】
図８に示すように、従来のチャンネル情報表示装置は、複数のチャンネルＣＨ１〜ＣＨ７とそれぞれ関連する複数の制御盤１０ａ〜１０ｈを備え、複数の制御盤１０ａ〜１０ｈは、複数の音響信号を制御する制御内容に応じて操作される操作部１８とフェーダ部１２、複数の音響信号と関連する文字表示を行う複数の表示部１６ａ〜１６ｈをそれぞれ有している。制御盤１０ａ〜１０ｈは、図８に示すように、チャンネルＣＨ１〜ＣＨ７それぞれに対応して設けられ、各チャンネルの音響信号の音質および音量を制御するようになっている。フェーダ部１２は、制御盤１０ａ〜１０ｈそれぞれに設けられ、各チャンネルの音響信号の音量を制御するようになっている。表示部１６ａ〜１６ｈは、制御盤１０ａ〜１０ｈそれぞれに入力される文字情報を表示するようになっている（例えば特許文献１参照）。
【０００４】
【特許文献１】
特開平７‐１３１４３２号公報（第２‐３頁、第１図）
【０００５】
【発明が解決しようとする課題】
しかしながら、従来のチャンネル情報表示装置は、操作者が複数のチャンネルの音響信号の信号レベルを調整するとき、複数のチャンネルの音響信号と関連する複数の表示部にそれぞれ表示された複数の文字情報を読み取り、複数のチャンネルの音響信号がそれぞれ何を示す音響信号であるのかを確認し、複数のチャンネルの音響信号の信号レベルを調整するよう操作部を操作するので、複数の操作部をそれぞれ迅速に操作することが容易でないという問題があった。
【０００６】
本発明は、従来の問題を解決するためになされたもので、複数のチャンネルの音響信号それぞれが何を示すものであるのかを迅速に確認することが容易なチャンネル情報表示装置を提供することを目的とする。
【０００７】
【課題を解決するための手段】
本発明のチャンネル情報表示装置は、複数チャンネルの複数の音響信号と関連付けた複数の画像をそれぞれ表示する複数の画像表示手段と、前記複数の画像が示された複数の画像データを入力する画像入力手段と、前記画像入力手段によって入力された前記複数の画像データをそれぞれ格納する複数の画像格納手段と、前記複数の画像格納手段に格納された前記複数の画像データから前記複数の画像表示手段にそれぞれ表示される前記複数の画像を選択する画像選択手段と、前記画像選択手段によって選択された前記複数の画像が前記複数の画像表示手段にそれぞれ表示されるよう制御する表示制御手段とを備える構成を有している。
【０００８】
この構成により、複数チャンネルの複数の音響信号と関連付けた複数の画像を入力し、複数の画像表示手段に複数チャンネルの複数の音響信号と関連付けた複数の画像をそれぞれ表示することができる。
【０００９】
また、本発明のチャンネル情報表示装置は、前記画像入力手段は時系列で連続する複数の画像が示された複数の画像データを順次入力し、前記複数の画像格納手段は前記画像入力手段によって順次入力された前記複数の画像データを順次格納し、前記表示制御手段は前記複数の画像格納手段に順次格納された前記複数の画像データが示す前記複数の画像を前記複数の画像表示手段に順次表示するよう制御する構成を有している。
【００１０】
この構成により、時系列で連続する複数の画像を示す複数の画像データを順次入力し、画像表示手段に順次表示することができる。
【００１１】
また、本発明のチャンネル情報表示装置は、前記複数の画像格納手段に格納された前記複数の画像それぞれを編集する画像編集手段を備える構成を有している。
【００１２】
この構成により、複数の画像格納手段に格納された複数の画像それぞれを編集し、編集した複数の画像を画像表示手段に表示することができる。
【００１３】
また、本発明のチャンネル情報表示装置は、前記画像編集手段は、前記複数の画像表示手段に表示された前記複数の画像それぞれに文字情報を添付するよう前記複数の画像それぞれを編集し、前記複数の画像格納手段は、前記文字情報が添付された前記複数の画像それぞれを画像データとして格納する構成を有している。
【００１４】
この構成により、複数の画像表示手段に表示された複数チャンネルの複数の音響信号と関連する複数の画像に文字情報を添付することができる。
【００１５】
さらに、本発明のチャンネル情報表示装置は、前記複数の画像格納手段それぞれに格納された複数の画像を合成する画像合成手段を備え、前記表示制御手段は前記画像合成手段によって合成された前記複数の画像を前記画像表示手段に表示するよう制御する構成を有している。
【００１６】
この構成により、複数のチャンネル画像格納手段に格納された複数の画像を合成し、合成した画像を画像表示手段に表示することができる。
【００１７】
【発明の実施の形態】
以下、本発明の実施の形態について、図面を参照して説明する。
【００１８】
（第１の実施の形態）
【００１９】
図１に示すように、チャンネル情報表示装置１００は、複数チャンネルの複数の音響信号の信号レベルを表示する表示部に表示された複数の音響信号と関連付けた複数の画像をそれぞれ表示する複数の画像表示手段４１ａ〜４１ｈと、複数の画像が示された複数の画像データを入力する画像入力手段４５と、画像入力手段４５によって入力された複数の画像データをそれぞれ格納する複数の画像格納手段４２ａ〜４２ｈと、複数の画像格納手段４２ａ〜４２ｈにそれぞれ格納された複数の画像データから複数の画像表示手段４１ａ〜４１ｈに表示される複数の画像をそれぞれ選択する画像選択手段４３と、画像選択手段４３によって選択された複数の画像が複数の画像表示手段４１ａ〜４１ｈにそれぞれ表示されるよう制御する表示制御手段４４とを備えている。
【００２０】
また、複数の画像表示手段４１ａ〜４１ｈと複数の画像格納手段４２ａ〜４２ｈとは１対１に対応し、複数の画像表示手段４１ａ〜４１ｈは、複数の画像格納手段４２ａ〜４２ｈそれぞれに格納された複数の画像データから画像選択手段４３が選択した複数の画像をそれぞれ表示するようになっている。
【００２１】
また、図４に示すように、複数のチャンネルの複数の音響信号の信号レベルを表示する表示部４０ａ〜４０ｈと複数の情報表示手段４１ａ〜４１ｈとが１対１に対応している。また、複数の画像表示手段４１ａ〜４１ｈそれぞれは、液晶を利用したディスプレイやブラウン管を使用したディスプレイなどの表示ユニットによって構成される。
【００２２】
次に、図７を参照し、本実施の形態のチャンネル情報表示装置の動作を説明する。
【００２３】
まず初めに、複数の画像を示す複数の画像データが画像入力手段４５によって入力され、画像格納手段４２ａ〜４２ｈそれぞれに格納される（ステップＳ１０１）。次いで、複数の画像表示手段４１ａ〜４１ｈそれぞれに表示される複数の画像が、複数の画像格納手段４２ａ〜４２ｈそれぞれに格納された複数の画像データから画像選択手段４３によって選択される（ステップＳ１０２）。そして、画像選択手段４３によって選択された複数の画像が複数の画像表示手段４１ａ〜４１ｈにそれぞれ表示される（ステップＳ１０３）。
【００２４】
図５は、図４に示された複数の画像表示手段４１ａ〜４１ｈのうち画像表示手段４１ｆおよび４１ｇの部分を拡大表示したものであり、画像表示手段４１ｆには表示部４０ｆの音響信号が人間の音声であることを示すために人間の顔の画像が表示され、画像表示手段４１ｇには表示部４０ｇの音響信号が何であるのかを示すために文字情報が表示されている。
【００２５】
以上説明したように、本発明のチャンネル情報表示装置は、複数チャンネルの複数の音響信号にそれぞれ対応する複数の画像表示手段に表示された複数の画像によって複数のチャンネルの音響信号それぞれが何を示すものであるのかを容易にかつ迅速に確認することができる。
【００２６】
また、本発明のチャンネル情報表示装置は、複数の画像表示手段と１対１に対応する複数の画像格納手段を備えると説明したけれども、チャンネル情報表示装置が、画像入力手段によって入力された複数の画像データを格納する少なくとも１つの画像格納手段を備え、複数の画像表示手段それぞれに表示される複数の画像を画像選択手段が画像格納手段に格納される複数の画像データから選択するようにしてもよい。
【００２７】
また、画像入力手段は時系列で連続する複数の画像が示された複数の画像データを順次入力し、複数の画像格納手段は画像入力手段によって順次入力された複数の画像データを順次格納し、表示制御手段は複数の画像格納手段に順次格納された複数の画像データが示す複数の画像を複数の画像表示手段に順次表示するよう制御するようにしてもよい。音響信号が何であるのかを示す情報として逐次入力される画像データを扱うことにより、複数のチャンネルの音響信号が何であるのかを画像表示手段にリアルタイムで表示することができる。
【００２８】
（第２の実施の形態）
【００２９】
次に、本発明の第２の実施の形態について図２を参照して説明する。
【００３０】
本実施の形態のチャンネル情報表示装置２００は、第１の実施の形態のチャンネル情報表示装置１００の構成に加え、複数の画像格納手段４２ａ〜４２ｈに格納された複数の画像データが示す複数の画像それぞれを編集する画像編集手段４６を備えている。
【００３１】
次に、本実施の形態のチャンネル情報表示装置２００の動作について説明する。
【００３２】
まず初めに、複数の画像格納手段４２ａ〜４２ｈに格納された複数の画像データが示す複数の画像それぞれが画像編集手段４６によって編集される。そして、編集された画像データが示す複数の画像が複数の画像表示手段４１ａ〜４１ｈにそれぞれ表示されるよう表示制御手段４４によって制御される。
【００３３】
なお、画像編集手段４６によって編集された画像データは必ずしも同じ画像格納手段に格納する必要はなく、複数の画像格納手段４２ａ〜４２ｈの何れに格納してもよい。また、前記画像編集手段４６は、複数の画像表示手段に表示された複数の画像それぞれに文字情報を添付するよう複数の画像それぞれを編集してもよい。
【００３４】
以上説明したように、本発明の第２の実施の形態のチャンネル情報表示装置は、画像格納手段に格納された画像データを編集し、編集した画像データを画像表示手段に表示することによって、複数のチャンネルの音響信号それぞれが何を示すものであるのかを容易に迅速に確認することができる。
【００３５】
次に、本発明の第３の実施の形態について図３を参照して説明する。
【００３６】
本実施の形態のチャンネル情報表示装置３００は、第１の実施の形態のチャンネル情報表示装置の構成に加え、さらに画像合成手段４７を備えている。
【００３７】
画像合成手段４７は、複数の画像格納手段４２ａ〜４２ｈにそれぞれ格納された複数の画像データから複数の画像を合成し、合成した画像を示す画像データが複数の画像格納手段４２ａ〜４２ｈに格納し、画像表示手段４１ａ〜４１ｈに表示するようになっている。
【００３８】
次に、本実施の形態のチャンネル情報表示装置３００の動作について説明する。
【００３９】
まず初めに、複数の画像格納手段４２ａ〜４２ｈに格納された複数の画像データが示す複数の画像それぞれが画像合成手段４７によって合成される。そして、合成された画像データが示す画像が複数の画像表示手段４１ａ〜４１ｈに表示されるよう表示制御手段４４によって制御される。
【００４０】
図６に示すように、画像表示手段５０ａに表示された画像は、画像表示手段４１ｅに表示された画像と画像表示手段４１ｈに表示された画像とを合成したものであり、画像表示手段５０ｂに表示された画像は、画像表示手段４１ｆに表示された画像と画像表示手段４１ｇに表示された画像とを合成したものである。
【００４１】
以上説明したように、本発明の第３の実施の形態のチャンネル情報表示装置は、画像データ格納手段に格納された画像データを合成し、合成した画像データをデータ表示手段に表示することによって、複数のチャンネルの音響信号それぞれが何を示すものであるのかを容易に迅速に確認することができる。
【００４２】
【発明の効果】
以上説明したように、本発明は、複数のチャンネルの音響信号それぞれを迅速に確認することが容易なチャンネル情報表示装置を提供することができる。
【図面の簡単な説明】
【図１】本発明の第１の実施の形態のチャンネル情報表示装置の構成を示すブロック図
【図２】本発明の第２の実施の形態のチャンネル情報表示装置の構成を示すブロック図
【図３】本発明の第３の実施の形態のチャンネル情報表示装置の構成を示すブロック図
【図４】本発明のチャンネル情報表示装置の複数の画像表示手段と複数チャンネルの複数の音響信号の信号レベルをそれぞれ表示する表示部を示す正面図
【図５】図４に示された本発明のチャンネル情報表示装置の複数の画像表示手段を拡大して示した正面図
【図６】図４に示された本発明のチャンネル情報表示装置の複数の画像表示手段に文字情報が添付された画像が表示された画面を拡大して示した正面図
【図７】本発明の第１の実施の形態のチャンネル情報表示装置の動作を示すフローチャート
【図８】従来のチャンネル情報表示装置の表示部を示す正面図
【符号の説明】
１００、２００、３００  チャンネル情報表示装置
４１ａ、４１ｂ、４１ｃ、４１ｄ、４１ｅ、４１ｆ、４１ｇ、４１ｈ、５０ａ、５０ｂ  画像表示手段
４２ａ、４２ｂ、４２ｃ、４２ｄ、４２ｅ、４２ｆ、４２ｇ、４２ｈ  画像格納手段
４３  画像選択手段
４４  表示制御手段
４５  画像入力手段
４６  画像編集手段
４７  画像合成手段
【図１】
2004266531.tif 000003
【図２】
2004266531.tif 000004
【図３】
2004266531.tif 000005
【図４】
2004266531.tif 000006
【図５】
2004266531.tif 000007
【図６】
2004266531.tif 000008
【図７】
2004266531.tif 000009
【図８】
2004266531.tif 000010